(57)【要約】      （修正有）【課題】複数条のバーチカルブラインド用スラットを１枚の編地として完成後、糸の破断なしで複数条に分割成形する製法を確立する。【解決手段】各スラットの左右に連結用挿入糸３を設け、連結用挿入糸３の間に解し鎖編み糸４を配置し、複数条のスラット生地を１枚の経編み地として編成し、仕上げ熱処理加工した後に解し鎖編み糸４を除去することでその一枚の経編み地を複数条のスラットに分割するスラット生地の製法で、編成時、鎖編み経糸１と挿入糸２は個別のビームによる積極送り出しあるいは消極送り出しによる速度相関張力を付与し、連結用挿入糸３と解し鎖編み糸４はそれぞれの糸スタンドから排出され、連結用挿入糸３はブレーキ１による張力調整用ローラーにより、解し鎖編み糸４は摩擦ブレーキ２により張力を調整することで、連結用挿入糸３の張力は増大させ、鎖編み糸４の張力は弛緩させて、最適な４種類の糸の張力関係を確立しながら編成する。【選択図】図４
2011127409.tif 000002
【特許請求の範囲】
【請求項１】
複数条のバーチカルブラインド用スラット生地を長さ方向に平行に並べて同時に編成する過程において平行に並んで隣り合うスラット生地は鎖編み経糸と挿入糸より編成し、各スラットはそれらの左右に、別の連結用挿入糸を設け、連結用挿入糸の間に解し鎖編み糸を配置し、スラット生地同士は連結用挿入糸を介して解し鎖編み糸にて係止されて、複数条のスラット生地を１枚の経編み地として編成し、仕上げ熱処理加工した後に解し鎖編み糸を除去することでその一枚の経編み地を複数条のスラットに分割するバーチカルブラインド用スラット生地の製法において、編成時、鎖編み経糸と挿入糸は個別のビームと編み機により作られる速度相関張力で糸の張力を付与及び制御し、連結用挿入糸と解し鎖編み糸はそれぞれの糸スタンドから排出され、外部独立ブレーキ装置により張力を付与及び調整することで、連結用挿入糸の張力は増大させ、鎖編み糸の張力は弛緩させて、編成することを特徴とするバーチカルブラインド用スラット生地の製法。
【請求項２】
請求項１において鎖編み経糸、挿入糸、連結用挿入糸及び解し鎖編み糸の糸の太さはスラット生地１インチ当たりの鎖編み経糸の数に対して次表を満たすことを特徴とするバーチカルブラインド用スラット生地の製法。但しＤはデニールを意味する。
2011127409.tif 000005
【請求項３】
請求項１において、鎖編み糸と解し鎖編み糸は全く同一な編み組織によって編成され、その使用量は解し鎖編み糸が鎖編み糸に比べ、数倍以上と格段に多くしたことを特徴とするバーチカルブラインド用スラット生地の製法。
【請求項４】
請求項１において、連結用挿入糸は生地経て方向編成長に対して１〜１．３倍の使用量としたことを特徴とするバーチカルブラインド用スラット生地の製法。
【発明の詳細な説明】
【技術分野】
【０００１】  本発明はバーチカルブラインドに使用される経て編みスラットに関するものである。
【背景技術】
【０００２】一般のカーテンは、カーテンにドレープ状の襞をつくり美観の向上を図っているが、そのため収納にスペースを要し、また採光の微妙な調整は不可能である。バーチカルブラインドはスラットと呼ばれる複数の縦長の短冊状部材で構成されるが、スラットの角度を変えることによって、外からの光や視線を調整することが可能であり、収納もスラット部材を両サイドに寄せることでコンパクトに行える。そのため、近年このバーチカルブラインド式カーテンが広く使用されるようになってきた。このバーチカルブラインドには樹脂性のスラットが使用されていた。しかし近年は色柄、風合い、透け感、透過性等のニーズから繊維製のスラットが求められている。【０００３】      特許文献１            特許  第３５８６８３３
特許文献２            特願２００６−１８４９０７
繊維製のスラットに関する従来技術として上記の特許がある。
【発明の開示】
【発明が解決しようとする課題】
【０００４】従来技術である特許文献１の特許第３５８６８３３には次のような欠点があった。
１）複数条のバーチカルブラインド部の短冊状スラット生地を連結する際、スラット生地    よりも引っ張り強度の弱い裂き糸を用いるために、経て編み後の後工程において生地    にテンションがかかった場合に裂ける恐れがあり、裂けた場合はその後の工程に支障    が起きることになる。従来技術として上記の特許文献１に示された図１を本願では従    来技術として図８として示した。従来技術の詳細説明は省略するが図８の連結用編糸    ２４が一枚の経編地を複数条のスラットに分割する際に緊張破断されるもので上記の    引っ張り強度の弱い裂き糸に相当する。
２）複数条のスラット生地を１枚の経て編地として編成後、連結用編み糸を緊張破断して    複数条スラットに分割するため、破断によるための糸くず等による塵埃の発生や分割    部の破断端部の糸の凹凸による美観に問題があった。
３）複数条スラットに分割する方式が破断によるため生地にストレスを与え、スラット本    体にダメージを与える可能性を有している。
従来技術である特許文献２の特願２００６−１８４９０７には本願発明者と同一者の発明であったが次のような欠点があった。
１）バ−チカルスラットを編成する鎖編み経糸と挿入糸及び、バ−チカルスラットの左右    の連結用挿入糸や各スラット生地の間に設ける解し鎖編み糸間の張力の付与方式や制    御方式が示されておらず、また適切な各糸の張力関係も不明確であったため、安価で    製品ごとのバラツキのない均一な品質を維持することが困難であった。
２）バ−チカルスラットを編成する鎖編み経糸と挿入糸及び、バ−チカルスラットの左右    の連結用挿入糸や各スラット生地の間に設ける解し鎖編み糸の各糸のサイズの相関関    係が不明であるため、また４種類の糸の使用量比が最適でなく、このため安価で製品    ごとのバラツキのない均一な品質を維持することが困難であった。
【課題を解決するための手段】
【０００５】  本発明を実現するには以下の手段による。
「手段１」
複数条のバーチカルブラインド用スラット生地を長さ方向に平行に並べて同時に編成する過程において平行に並んで隣り合うスラット生地は鎖編み経糸▲１▼と挿入糸▲２▼より編成し、各スラットはそれらの左右に、別の連結用挿入糸▲３▼を設け、連結用挿入糸▲３▼の間に解し鎖編み糸▲４▼を配置し、スラット生地同士は連結用挿入糸▲３▼を介して解し鎖編み糸▲４▼にて係止されて、複数条のスラット生地を１枚の経編み地として編成し、仕上げ熱処理加工した後に解し鎖編み糸▲４▼を除去することでその一枚の経編み地を複数条のスラットに分割するバーチカルブラインド用スラット生地の製法において、編成時、鎖編み経糸▲１▼と挿入糸▲２▼は個別のビームによる速度相関張力とし、連結用挿入糸▲３▼と解し鎖編み糸▲４▼はそれぞれの糸スタンドから排出され、張力調整装置により張力を調整することで、連結用挿入糸▲３▼の張力は増大させ、鎖編み糸▲４▼の張力は弛緩させて、最適な４種類の糸の張力関係を確立しながら編成することを手段とするバーチカルブラインド用スラット生地の製法。
「手段２」
手段１において鎖編み経糸▲１▼、挿入糸▲２▼、連結用挿入糸▲３▼及び解し鎖編み糸▲４▼の糸の太さは１インチ当たりの鎖編み経糸▲１▼の数に対して次表を満たすことを手段とするバーチカルブラインド用スラット生地の製法。但しＤはデニールを意味し、１デニールとは１グラムの重量の糸材を９０００ｍに引き伸ばした時の糸の太さである。
2011127409.tif 000003
「手段３」
手段１において、鎖編み糸▲１▼と解し鎖編み糸▲４▼は全く同一な編み組織によって編成され、その使用量は解し鎖編み糸▲４▼が鎖編み糸▲１▼に比べ、数倍以上と格段に多くしたことを手段とするバーチカルブラインド用スラット生地の製法。
「手段４」
手段１において、連結用挿入糸▲３▼は生地経て方向編成長に対して１〜１．３倍の使用量としたことを手段とするバーチカルブラインド用スラット生地の製法。
【発明の効果】
【０００６】１）平行に並んで隣り合うスラット生地とスラット生地の間に配置した解し鎖編み糸、及びその左右に配置した連結用挿入糸は特に弱い糸を使用しなくてもよいので、経て編み後の後工程において生地にテンションが加わった場合に裂けることがない。
２）複数条スラットを分割生成するには単に糸を解すだけで糸等の破断が無い。また複数条に分割後の分割端には連結用挿入糸の張力を強めた効果により連結用挿入糸がスラット生地からはみ出さないため美観も向上する。
３）複数条に分割時、糸の破断が無いため、糸くず等の発生が抑えられる。
４）複数条に分割するのが糸を解すことで行われるので従来の裂く方式に対し生地部への    ストレスが少なく品質が安定の向上が図れる。
５）鎖編み経糸と挿入糸は個別のビームによる速度相関張力で糸の張力が均一に付与制御    され、連結用挿入糸と解し鎖編み糸はそれぞれの糸スタンドから排出され、外部独立    ブレーキ装置で糸の張力が広範囲に付与制御される。このため連結用挿入糸の張力を    増大させ、解し鎖編み糸の張力は弛緩させて、最適な４種類の糸の張力関係を確立す    るため、品質の安定と安価性が図れる。
６）鎖編み経糸、挿入糸、連結用挿入糸及び解し鎖編み糸の糸の太さは１インチ当たりの    鎖編み経糸の数に対して開示した最適値のとすることで品質の安定と安価性が図れる    。
７）鎖編み糸と解し鎖編み糸は全く同一な編み組織によって編成され、その使用量は解し    鎖編み糸が鎖編み糸に比べ、数倍以上と格段に多くしたことにより、更に品質の安定    と安価性が図れる。
８）連結用挿入糸は生地経て方向編成長に対して１〜１．３倍の使用量としたことにより    、更に品質の安定と安価性が図れる。
【図面の簡単な説明】
【０００７】
【図１】本発明の全体構成を示す図
【図２】本発明の張力関係を適用しない場合の図１の詳細部分構成図
【図３】本発明の張力関係を適用した場合の図１の詳細部分構成図
【図４】本発明の図３の状態から解し編み糸を解す過程の図
【図５】本発明の図４の状態から解し編み糸を解した後の図
【図６】本発明の手段により解し編み糸を解した後の分割が終了した図
【図７】本発明の各糸の張力制御の説明図
【図８】従来技術の構成を示す図
【発明を実施するための形態】
【０００８】  以下図面によって説明する。
【実施例】
【０００９】  図１は本発明による全体構成図であり、複数条のバーチカルブラインド用スラット生地を１枚の経編み地として編成する本発明の構成を示した図である。両端部は捨耳部を表しており、各スラット部は後述する解し鎖編み糸なる連結部で繋がっているものである。尚図１では連結部は１箇所を矢印で表示したがその他の各スラット同士の境界部も全て連結部であるが矢印表示は省略してある。編成終了後、仕上げ加工の後に、両サイドの捨耳部及び各スラット生地部は解し鎖編み糸を解すことにより、複数条のバーチカルブラインドとなる。【００１０】  図２は本発明の張力関係を適用しない場合の詳細部分構成図であり、その構成は以下となる。複数条のバーチカルブラインド用スラット生地は、構成するスラット生地構成鎖編み糸▲１▼を使用し、長さ方向に平行に並べて編み、スラット生地構成挿入糸▲２▼を用いて、同時に編成される。その過程において平行に並んで隣り合うスラット生地とスラット生地の間に解し鎖編み糸▲４▼を配置し、各スラット生地の左右に連結用挿入糸▲３▼を設け、スラット生地と解し鎖編み糸▲４▼を係止させ、１枚の編地を形成する。この場合、４種類の糸の張力を通常の張力関係で編成した場合に、図２に示すようなものになる。
尚本発明に関する説明で用いた上述した部品番号▲１▼から▲４▼は図２から図７に適応するものであり、図８の部品番号とは無関係である。前述した従来技術として示した図８ではその中に記載された部品番号２４のみを本願明細書中の説明に使用した。【００１１】これに対して図３は図２の編成する過程において、解し鎖編み糸▲４▼の張力を弛めると同時に各スラット生地の左右に配した２本の連結用挿入糸▲３▼の張力を強める場合の図である。こうすると解し鎖編み糸▲４▼の形状は図２に示す形から図３に示す形状に大きく変形する。このように連結用挿入糸▲３▼の張力を強める目的は、解し鎖編み糸▲４▼を横方向に大きく変形蛇行させて、連結用挿入糸▲３▼の張力を強めた効果により連結用挿入糸▲３▼がスラット生地からはみ出さないようにするためと、更に解し鎖編み糸▲４▼を確実に脱糸し易くするためである。解し鎖編み糸▲４▼の編み方は鎖編み糸▲１▼と全く同じであるが解し鎖編み糸▲４▼は横方向に大きく変形蛇行させることで一本の連続した糸として容易に解すことができるようになる。【００１２】目的の生地が編みあがった後、仕上げ加工を施し、図４に示すように解し鎖編み糸▲４▼の編み終わり部から糸を解すことにより連結用挿入糸▲３▼を破断することなく解し鎖編み糸▲４▼の両サイドの生地を分割することができる。いわゆる鎖編み構成のため編み終わり端を引くことで一本の連続した糸として抜き去ることが出来るものである。そして解し鎖編み糸▲４▼を抜き去り、生地を分割した様子を示したのが図５であり、抜き去った解し鎖編み糸▲４▼は点線で示したものである。このとき連結用挿入糸▲３▼の張力を強め、また解し鎖編み糸▲４▼を弛緩させたことにより、解し鎖編み糸▲４▼が横方向に大きく変形蛇行するため、連結用挿入糸▲３▼は経て方向の直線に近づき、スラット生地からはみ出さないことになる。図６は解し鎖編み糸▲４▼を抜き去り、スラット生地部の分割が終了し、目的のバーチカルブラインドに使用される経て編みスラット部が完成した図である。【００１３】次に本発明の各糸への最適な張力付与方法を図７にて説明する。
鎖編み経糸▲１▼と挿入糸▲２▼は個別のビームから各糸を供給する。ビームとは通常アルミ等で出来た糸を巻くボビン状の部品である。編み機が駆動することにより糸は編み機に引き込まれるために張力が発生し、それによってビームが回転し糸がビームより供給される。このときビームには適当な摩擦等のブレーキが付与されて適切な張力に制御される。このようなブレーキを伴ったビームの回転と編み機の速度に相関した糸引き込み力との相関関係により糸に張力を付与し、その張力値も制御する。またビームを適切な編み機速度と関連した速度で駆動することによるビームと編み機の相関速度で糸に張力を発生させ、その値も制御する。これらの張力を速度相関張力と便宜上定義する。図７の鎖編み経糸▲１▼、挿入糸▲２▼はこの速度相関張力を最適な張力値に制御するものである。そして複数の糸▲１▼同士は上述した速度相関張力なる張力で全てが同じ張力に調整される。糸▲２▼も同様である。
これに対し図７の連結用挿入糸▲３▼と鎖編み糸▲４▼はそれぞれの糸スタンドから編み機に糸が引かれて排出され、連結用挿入糸▲３▼は糸スタンドと編み機の間に設けられたブレーキ１による張力調整用ローラーにより、解し鎖編み糸▲４▼は糸スタンドと編み機の間に設けられた摩擦ブレーキ２により張力を調整する。これらのブレーキ１、ブレーキ２を便宜上、外部独立ブレーキ装置と便宜上定義する。このように糸スタンドと編み機の間に外部独立ブレーキ装置を設けることで所望の糸の張力値を幅広く付与するブレーキ力で制御できるため、連結用挿入糸▲３▼の張力を増大させ、鎖編み糸▲４▼の張力は弛緩させて、最適な４種類の糸の張力関係を確立しながら編成できるようになる。このため連結用挿入糸▲３▼が各スラット側面から飛び出さず、また解し鎖編み糸▲４▼は除去し易くなる。以上のように本発明によれば４種類の糸の張力は付与され最適値に制御される。【００１４】バーチカルブラインドの各幅は業界スタンダードとして、８０，１００，１２７ｍｍが標凖サイズとなっている。そしてスラット生地は１インチ当たり鎖編み経糸数が９、１８、２４、２８が標準化されている。この場合、鎖編み経糸▲１▼、挿入糸▲２▼、連結用挿入糸▲３▼及び解し鎖編み糸▲４▼の糸の太さの相対関係は１インチ当たりの鎖編み経糸▲１▼の数に対して次表を満たす関係とすれば本発明を適応した場合、良質なバーチカルブラインド用スラット生地となることが実験的に分かったものである。但し表中のＤはデニールを意味し、１デニールとは１グラムの重量の糸材を９０００ｍに引き伸ばした時の糸の太さである。
2011127409.tif 000004
【００１５】編み上がり後仕上げ加工を施し、設定された幅に分割することで、縦方向に短冊状に分割したバーチカルブラインドのスラットが得られる。図４で解し鎖編み糸▲４▼を引き抜き除去を開始する個所はスラット生地編成終端部であり、図４の上端部である。
図５、図６は図４の分割後の図であり、このようにして複数条の経て方向に短冊状に分割したバーチカルブラインドのスラットが得られる。【００１６】更なる本発明の特徴は４種類の糸の使用量の相違にある。この糸の使用量を最適比に保つことで高品質で不良率の少ないものとなる。鎖編み糸▲１▼と解し鎖編み糸▲４▼は全く同一な編み組織によって編成されるが、その使用量は解し鎖編み糸▲４▼が鎖編み糸▲１▼に比べて数倍以上と格段に多くし、また連結用挿入糸▲３▼は生地経て方向編成長に対して１〜１．３倍の使用量とすることにより横には蛇行が少なく経て方向に直線に近い形となるため、更に品質の安定と安価性が図れる。この関係を図示すれば図３のようになる。【００１７】
【産業上の利用可能性】
【００１８】  本発明により作られるバーチカルブラインドのスラットは実用性、優美性、品質の均一性、安価性を備えたものであるので、工業的に大きな貢献が期待される。
【符号の説明】
【００１９】▲１▼      ：      スラット生地構成鎖編み糸
▲２▼      ：      スラット生地構成挿入糸
▲３▼      ：      連結用挿入糸
▲４▼      ：      解し鎖編み糸
２４        ：      連結用編糸
【図１】
2011127409.tif 000006
【図２】
2011127409.tif 000007
【図３】
2011127409.tif 000008
【図４】
2011127409.tif 000009
【図５】
2011127409.tif 000010
【図６】
2011127409.tif 000011
【図７】
2011127409.tif 000012
【図８】
2011127409.tif 000013